(57)【要約】【課題】安定した構成で、かつ、制作が容易になされる商品販売に好適に用いられる什器を提供する。【解決手段】環状に繋がる周壁部２と、周壁部２内の下部に配置され周壁部２の形態を補強維持する補強維持部４と、周壁部２内の途中高さに補強維持部４上に載置されて配置される商品収納部６の底板部８と、商品の取り出し開口１４を備え周壁部２の上面の開口を覆うよう配置される商品収納部６の天板部１２とから構成される什器。各部材が係止組み立てされる構成とされることで、軽量、コンパクトな部材の状態において搬送等が容易になされ、かつ、設置現場での組み立てが容易になされる。さらに、全体が特定機器の立体模倣形態を備える構成とされることで、商品顧客の目を引くものとなる。【選択図】図１
2013048655.tif 000002
【特許請求の範囲】
【請求項１】
環状に繋がる周壁部と、前記周壁部内の下部に配置され前記周壁部の形態を補強維持する補強維持部と、前記周壁部内の途中高さに前記補強維持部上に載置されて配置される商品収納部の底板部と、商品の取り出し開口を備え、前記周壁部の上面の開口を覆うよう配置される前記商品収納部の天板部と、から構成されることを特徴とする什器。
【請求項２】
前記各部が紙製の部材それぞれにより構成され、それら部材が係止組み立てされることで構成される請求項１記載の什器。
【請求項３】
全体が特定機器の立体模倣形態を備える請求項１または２記載の什器。
【発明の詳細な説明】
【技術分野】
【０００１】
この発明は、スーパーマーケットやドラッグストア等において販売のために用いられる什器に関する。
【背景技術】
【０００２】
スーパーマーケットやドラッグストア等において使用される什器として、例えば、実用新案登録第３１６８９１５号のものが提案され、この什器は販売促進効果を奏する。
【先行技術文献】
【特許文献】
【０００３】
【特許文献１】実用新案登録第３１６８９１５号公報
【非特許文献】
【０００４】
【非特許文献１】なし
【発明の概要】
【発明が解決しようとする課題】
【０００５】
この発明は、上記什器として、安定した構成で、かつ、制作が容易になされるものを提供すべく行ったものである。
【課題を解決するための手段】
【０００６】
この発明では、環状に繋がる周壁部と、前記周壁部内の下部に配置され前記周壁部の形態を補強維持する補強維持部と、前記周壁部内の途中高さに前記補強維持部上に載置されて配置される商品収納部の底板部と、商品の取り出し開口を備え前記周壁部の上面の開口を覆うよう配置される前記商品収納部の天板部とから構成される什器を提供する。
【０００７】
上記構成の什器は、周壁部が補強維持部に補強されてその形態が安定維持される。商品収納部の底板部が補強維持部上に載置されることで、容易、かつ、安定して配置される。周壁部の上面の開口を覆うように取り出し開口を備える天板部が配置されることで、底板部との間に商品収納部が形成される。この商品収納部は什器の上部に位置してその取り出し開口を通しての商品の取り出しが容易になされる。
【０００８】
各部のそれぞれが紙製の部材それぞれにより構成され、それら部材が係止組み立てされる構成とされることで、軽量、コンパクトな部材の状態において搬送等が容易になされ、かつ、設置現場での組み立てが容易になされる。さらに、全体が特定機器の立体模倣形態を備える構成とされることで、商品顧客の目を引くものとなる。
【発明の効果】
【０００９】
この発明によれば、安定した構成で、かつ、制作が容易になされる什器が得られる。
【図面の簡単な説明】
【００１０】
【図１】この発明の什器である販売用装置の実施形態の斜視図
【図２】この発明の什器である販売用装置の部材図
【図３】この発明の什器である販売用装置の部材図
【図４】この発明の什器である販売用装置の部材図
【図５】この発明の什器である販売用装置の部材図
【図６】この発明の什器である販売用装置の部材図
【図７】この発明の什器である販売用装置の部材図
【図８】この発明の什器である販売用装置の組み立て説明図
【図９】この発明の什器である販売用装置の組み立て説明図
【図１０】この発明の什器である販売用装置の組み立て説明図
【図１１】この発明の什器である販売用装置の組み立て説明図
【発明を実施するための最良の形態】
【００１１】
図１はこの発明の什器である販売用装置の実施形態の斜視図である。販売用装置（什器）１は全体が厚紙製で、４面が環状に繋がり平面形状を方形とする周壁部２と、周壁部２内の下部に配置され周壁部２の形態を補強維持する補強維持部４と、周壁部２内の途中高さに補強維持部４上に載置されて配置される商品収納部６の底板部８と、商品の取り出し開口１４を備え周壁部２の上面の開口を覆うよう配置される商品収納部６の天板部１２と、天板部１２の後部に取り付けられる立ち上がり部１３とから構成される。
【００１２】
販売用装置１はその全体が洗濯機の模倣形態を備え、洗濯機と同様に天板部１２の取り出し開口１４の前縁に操作ボタンの表示模様４が付され、立ち上がり部１３の前面には販売対象となる洗濯槽洗浄剤名の表示模様７が付されている。また、前面の周壁部２ａはほぼその全面にわたり洗濯機内部で使用される洗濯槽の表示模様１０が付されている。表示模様１０は、一方側の洗浄剤の使用前の汚れた状態である洗浄前状態表示１０ａと他方側の洗浄剤の使用後のきれいな状態である洗浄後状態表示１０ｂとに区分表示されている。上記表示模様４、７、１０のそれぞれは印刷により付設されている。
【００１３】
図２〜図７は上記各部を構成する部材それぞれを示す。これらの図においては表示模様４、７、１０の図示を省略している。図２、図３において、２０は周壁部２の前面と後面に位置する前壁パネル及び後壁パネル、２２は周壁部２の両側面それぞれに位置する側壁パネルであり、ともに両側縁に係止穴２６と係止凸部２８とがそれぞれ対応する位置に３個ずつ設けられ、また上部、途中部、下部に横方向に、さらに係止穴２６それぞれを繋ぐ位置及び係止凸部２８それぞれの基部位置に折り曲げのための切り込み点線ライン３０、３２、３４、３６、３９のそれぞれが設けられている。切り込み点線ライン３０、３２は１８０°の折り曲げができるように２列に形成されている。前壁パネル２０及び後壁パネル２０は側壁パネル２２よりその幅が大きくなっている。
【００１４】
図４において、４０は底板部８を形成する底板パネルであり、４周囲位置に折り曲げのための切り込み点線ライン４２が設けられ、前後に位置する一対の切り込み点線ライン４２それぞれの中央部分には差し込み穴４３それぞれが切り込みにより形成されている。
【００１５】
図５において、５０は天板部１２を形成する天板パネルであり、中央に取り出し開口１４が設けられ、その前後位置及び両側位置に折り曲げのための切り込み点線ライン５２、５４のそれぞれが形成され、さらに、後位置の切り込み点線ライン５２の中央部分には差し込み穴５３が切り込みにより形成されている。
【００１６】
図６において、６０は補強維持部４を形成する補強パネルであり、中央位置に上部からの切り込み部６２が設けられており、補強維持部４は２枚の補強パネル６０が互いの切り込み部６２が嵌め合わされて連結されることにより形成される。
【００１７】
図７において、７０は立ち上がり部１３を形成する立ち上がりパネルであり、下縁に差し込み部７２が突設されている。
【００１８】
図８〜図１１に沿って販売用装置１の組み立て方法を説明する。これらの図においても表示模様４、７、１０の図示を省略している。まず、図８に示すように、前壁パネル２０及び後壁パネル２０が前後に、２枚の側壁パネル２２が両側に位置するようにそれぞれ配置し、切り込み点線ライン３９により折り曲げた係止凸部２８それぞれを切り込み点線ライン３６による折り曲げにより角部に位置する係止穴２６それぞれに嵌め入れ係止し、これにより連結して図９に示す周壁部２を形成する。切り込み点線ライン３０それぞれによる折り曲げによりその縁部それぞれは１８０°折り曲げられ、切り込み点線ライン３４の折り曲げによりその縁部それぞれは９０°折り曲げられる。
【００１９】
この販売用装置１の組み立ては通常その設置現場においてなされ、したがって複数枚のパネルよりなる部材が設置現場に搬送され、また、取り扱われる段階においてはその全体がコンパクトであることが望まれる。その点を考慮して最も大きくなる周壁部２を前壁パネル２０、後壁パネル２０、側壁パネル２２の４枚のパネルに分離し、さらに長尺となるそれらパネルに切り込み点線ライン３２を設けその位置で２つ折り状態に折り畳めるようにしている。よって組み立ての作業は始めに折り畳まれた前壁パネル２０、後壁パネル２０、側壁パネル２２それぞれを開いた状態として行う。
【００２０】
次に、図１０に示すように、周壁部２内に上方から２枚の補強パネル６０の組み合わせ体、さらに底板パネル４０が納められて補強維持部４及び底板部８が形成される。補強パネル６０は組み合わされた状態において平面が「Ｘ」形態となり、補強パネル６０それぞれの４個の端縁部が丁度周壁部２の４角部内側に沿って当接するように配置され、これにより補強されることで周壁部２はその方形の平面形態が安定維持される。底板パネル４０は切り込み点線ライン４２位置でその縁部４５それぞれが下方に折り曲げられた状態で補強パネル６０上に載置されるが、縁部４５それぞれが補強パネル６０に当たらないことで底板パネル４０の下面が「Ｘ」形態の補強パネル６０の上部で受けられ、かつ、縁部４５のそれぞれが周壁部２の内面に沿って位置することで底板パネル４０は安定配置される。
【００２１】
次に、図１１に示すように、周壁部２の開放する上部に天板パネル５０が取り付けられ、さらにその天板パネル５０に立ち上がりパネル７０が取り付けられて天板部１２、立ち上がり部１３が構成される。天板パネル５０は切り込み点線ライン５２、５４位置で前部５５と後部５６、さらに両側の縁部５７のそれぞれが下方に折り曲げられた状態とされ、これら折り曲げられた部分が周壁部２の内面に沿って差し入れられて取り付けられる。天板パネル５０は前部５５と後部５６の下縁が底板パネル４０に当接することで所定高さに配置され、かつ、前部５５と後部５６の下縁に設けられた係止凸部５８、５９のそれぞれが底板パネル４０の差し込み穴４３それぞれ差し込まれることで安定して取り付けられる。立ち上がりパネル７０は差し込み部７２が天板パネル５０の差し込み穴５３に差し込まれて取り付けられる。
【００２２】
上記のようにして、販売用装置１は連結部材等を何ら用いることなく容易に組み立てられて完成される。この販売用装置１は洗浄剤売り場に「洗濯機」として配置されることで客の目を引き集客性能に優れる。また、前面の洗浄前状態表示１０ａと洗浄後状態表示１０ｂとに区分表示された表示模様１０を見ることで洗浄剤の洗浄効果が一目で把握でき、これにより購買意欲が高められる。また、一体に製品収納部６を備えることでそこに製品を納めて販売でき、別途製品の販売配置スペースを確保する必要がないので便利である。
【符号の説明】
【００２３】
１      販売用装置（什器）
２      周壁部
４      補強維持部
６      商品収納部
８      底板部
１２    天板部
１４    取り出し開口
【図１】
2013048655.tif 000003
【図２】
2013048655.tif 000004
【図３】
2013048655.tif 000005
【図４】
2013048655.tif 000006
【図５】
2013048655.tif 000007
【図６】
2013048655.tif 000008
【図７】
2013048655.tif 000009
【図８】
2013048655.tif 000010
【図９】
2013048655.tif 000011
【図１０】
2013048655.tif 000012
【図１１】
2013048655.tif 000013